(57)【要約】  本発明に係る通信制御方法は、接続状態にあるＵＥ１００が、自身がＭＤＴ測定をサポートする無線アクセス技術（ＲＡＴ）であるＭＤＴサポートＲＡＴに関するＲＡＴ情報をＭＭＥ／Ｓ−ＧＷ３００に通知するステップＡと、ネットワーク装置が、ＲＡＴ情報に基づいて、ＭＤＴ測定の許容される公衆陸上移動網（ＰＬＭＮ）を示すＰＬＭＮリストをＵＥ１００に設定するステップＢと、を有する。
2014157074.tif 000002
【特許請求の範囲】
【請求項１】
接続状態にあるユーザ端末が、自身がＭＤＴ測定をサポートする無線アクセス技術（ＲＡＴ）であるＭＤＴサポートＲＡＴに関するＲＡＴ情報をネットワーク装置に通知するステップＡと、
前記ネットワーク装置が、前記ＲＡＴ情報に基づいて、前記ＭＤＴ測定の許容される公衆陸上移動網（ＰＬＭＮ）を示すＰＬＭＮリストを前記ユーザ端末に設定するステップＢと、
を有することを特徴とする通信制御方法。
【請求項２】
アイドル状態にある前記ユーザ端末が、前記ＲＡＴ情報に基づいて設定された前記ＰＬＭＮリストに含まれるＰＬＭＮにおいて、前記ＭＤＴ測定を行うステップＣをさらに有することを特徴とする請求項１に記載の通信制御方法。
【請求項３】
前記ステップＡにおいて、前記ユーザ端末は、前記ＲＡＴ情報の通知要求を前記ネットワーク装置から受信したことに応じて、前記ＲＡＴ情報を前記ネットワーク装置に通知することを特徴とする請求項１に記載の通信制御方法。
【請求項４】
前記ステップＢにおいて、前記ネットワーク装置は、前記ＲＡＴ情報に基づいて、前記ＭＤＴサポートＲＡＴに属するＰＬＭＮのみを前記ＰＬＭＮリストに含めることを特徴とする請求項１に記載の通信制御方法。
【請求項５】
前記ステップＣにおいて、前記ユーザ端末は、前記ＭＤＴサポートＲＡＴに属する第１のＰＬＭＮと前記ＭＤＴサポートＲＡＴに属しない第２のＰＬＭＮとを前記ＰＬＭＮリストが含む場合に、前記第２のＰＬＭＮにおいて前記ＭＤＴ測定を行わずに、前記第１のＰＬＭＮにおいて前記ＭＤＴ測定を行うことを特徴とする請求項２に記載の通信制御方法。
【請求項６】
前記ＭＤＴ測定により測定結果を保持している前記ユーザ端末が、前記測定結果を保持していることを示す通知情報を基地局に送信するステップＤをさらに含み、
前記ステップＤにおいて、前記ユーザ端末は、前記測定結果に対応するＲＡＴを示す識別情報を、前記通知情報と共に送信することを特徴とする請求項２に記載の通信制御方法。
【請求項７】
前記ＭＤＴ測定により測定結果を保持している前記ユーザ端末が、前記測定結果に対応するＲＡＴ以外のＲＡＴについての測定結果送信要求を基地局から受信した場合に、前記測定結果を保持していないことを示す情報を前記基地局に送信するステップＥをさらに有することを特徴とする請求項２に記載の通信制御方法。
【請求項８】
前記ＭＤＴ測定により測定結果を保持している前記ユーザ端末が、測定結果送信要求を基地局から受信した場合に、前記測定結果を前記基地局に送信するステップＦと、
前記基地局が、前記測定結果が複数のＲＡＴに対応する測定結果を含む場合に、前記複数のＲＡＴのそれぞれについて測定結果の消去を許可するか否かを示す消去制御情報を前記ユーザ端末に送信するステップＧと、
をさらに有することを特徴とする請求項２に記載の通信制御方法。
【請求項９】
ＭＤＴ測定の許容される公衆陸上移動網（ＰＬＭＮ）を示すＰＬＭＮリストがネットワーク装置から設定された場合に、前記ＰＬＭＮリストに含まれるＰＬＭＮにおいて前記ＭＤＴ測定を行うユーザ端末であって、
接続状態時に、前記ユーザ端末がＭＤＴ測定をサポートする無線アクセス技術（ＲＡＴ）であるＭＤＴサポートＲＡＴに関するＲＡＴ情報を前記ネットワーク装置に通知する制御部を有し、
前記制御部は、前記ＰＬＭＮリストが前記ネットワーク装置から設定される前において、前記ＲＡＴ情報を前記ネットワーク装置に通知することを特徴とするユーザ端末。
【請求項１０】
ＭＤＴ測定の許容される公衆陸上移動網（ＰＬＭＮ）を示すＰＬＭＮリストをユーザ端末に設定するネットワーク装置であって、
前記ユーザ端末がＭＤＴ測定をサポートする無線アクセス技術（ＲＡＴ）であるＭＤＴサポートＲＡＴに関するＲＡＴ情報に基づいて、前記ＰＬＭＮリストを前記ユーザ端末に設定する制御部を有することを特徴とするネットワーク装置。
【請求項１１】
ＭＤＴ測定により測定結果を保持しているユーザ端末から、前記測定結果を受信する基地局であって、
前記測定結果が複数のＲＡＴに対応する測定結果を含む場合に、前記複数のＲＡＴのそれぞれについて測定結果の消去を許可するか否かを示す消去制御情報を前記ユーザ端末に送信する制御部を有することを特徴とする基地局。
【発明の詳細な説明】
【技術分野】
【０００１】
本発明は、ＭＤＴをサポートする移動通信システムにおいて用いられる通信制御方法、ユーザ端末、ネットワーク装置、及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１０以降において、ＭＤＴ（Ｍｉｎｉｍｉｚａｔｉｏｎ  ｏｆ  Ｄｒｉｖｅ  Ｔｅｓｔｓ）の仕様策定が進められている（例えば、非特許文献１参照）。ＭＤＴでは、ユーザ端末は、無線環境を測定（ＭＤＴ測定）し、測定結果を自身の位置情報と共にネットワーク側に報告する。【０００３】
また、ＭＤＴでは、ユーザ端末は、オペレータ（通信事業者）の異なる複数の公衆陸上移動網（ＰＬＭＮ）に対するＭＤＴ測定を行うことができる。ユーザ端末は、ＭＤＴ測定の許容されるＰＬＭＮを示すＰＬＭＮリストがネットワーク側から設定された場合に、ＰＬＭＮリストに含まれるＰＬＭＮにおいてＭＤＴ測定を行う。
【先行技術文献】
【非特許文献】
【０００４】
【非特許文献１】３ＧＰＰ技術仕様  「３ＧＰＰ  ＴＳ３７．３２０  Ｖ１１．２．０」  ２０１２年１２月
【発明の概要】
【０００５】
しかしながら、ユーザ端末は、全ての無線アクセス技術（ＲＡＴ）についてＭＤＴ測定をサポートしているとは限らない。例えば、ユーザ端末は、ＬＴＥ無線アクセス技術についてＭＤＴ測定をサポートしていても、Ｗ−ＣＤＭＡ無線アクセス技術についてはＭＤＴ測定をサポートしていないことがある。
【０００６】
よって、ユーザ端末は、自身がＭＤＴ測定をサポートするＲＡＴ（ＭＤＴサポートＲＡＴ）に属しないＰＬＭＮにおいては、ＭＤＴ測定を行うことができない。従って、ユーザ端末に設定されるＰＬＭＮリストが、ＭＤＴサポートＲＡＴに属しないＰＬＭＮを含む場合には、予期せぬエラーが発生する虞がある。
【０００７】
そこで、本発明は、複数のＰＬＭＮに対するＭＤＴ測定を適切に制御できる通信制御方法、ユーザ端末、ネットワーク装置、及び基地局を提供する。
【０００８】
本発明に係る通信制御方法は、接続状態にあるユーザ端末が、自身がＭＤＴ測定をサポートするＲＡＴであるＭＤＴサポートＲＡＴに関するＲＡＴ情報をネットワーク装置に通知するステップＡと、前記ネットワーク装置が、前記ＲＡＴ情報に基づいて、前記ＭＤＴ測定の許容されるＰＬＭＮを示すＰＬＭＮリストを前記ユーザ端末に設定するステップＢと、を有する。
【図面の簡単な説明】
【０００９】
【図１】図１は、第１実施形態乃至第３実施形態に係るＬＴＥシステムの構成図である。
【図２】図２は、第１実施形態乃至第３実施形態に係るＵＥのブロック図である。
【図３】図３は、第１実施形態乃至第３実施形態に係るｅＮＢのブロック図である。
【図４】図４は、ＬＴＥシステムにおける無線インターフェイスのプロトコルスタック図である。
【図５】図５は、ＬＴＥシステムで使用される無線フレームの構成図である。
【図６】図６は、第１実施形態乃至第３実施形態に係る動作環境を示す図である。
【図７】図７は、第１実施形態に係るＭＤＴ測定設定の動作シーケンス図である。
【図８】図８は、第１実施形態に係る測定結果報告の動作パターン１を示すシーケンス図である。
【図９】図９は、第１実施形態に係る測定結果報告の動作パターン２を示すシーケンス図である。
【図１０】図１０は、第１実施形態に係る測定結果報告の動作パターン３を示すシーケンス図である。
【図１１】図１１は、第１実施形態に係る測定結果報告の動作パターン４を示すシーケンス図である。
【図１２】図１２は、第２実施形態に係る測定結果報告の動作パターン１を示すシーケンス図である。
【図１３】図１３は、第２実施形態に係る測定結果報告の動作パターン２を示すシーケンス図である。
【図１４】図１４は、第２実施形態に係る測定結果報告の動作パターン３を示すシーケンス図である。
【図１５】図１５は、第２実施形態に係る測定結果報告の動作パターン４を示すシーケンス図である。
【図１６】図１６は、第３実施形態に係る測定結果報告の動作パターン１を示すシーケンス図である。
【図１７】図１７は、第３実施形態に係る測定結果報告の動作パターン２を示すシーケンス図である。
【図１８】図１８は、第３実施形態に係る測定結果報告の動作パターン３を示すシーケンス図である。
【図１９】図１９は、第３実施形態に係る測定結果報告の動作パターン４を示すシーケンス図である。
【発明を実施するための形態】
【００１０】
［実施形態の概要］
第１実施形態乃至第３実施形態に係る通信制御方法は、接続状態にあるユーザ端末が、自身がＭＤＴ測定をサポートするＲＡＴであるＭＤＴサポートＲＡＴに関するＲＡＴ情報をネットワーク装置に通知するステップＡと、前記ネットワーク装置が、前記ＲＡＴ情報に基づいて、前記ＭＤＴ測定の許容されるＰＬＭＮを示すＰＬＭＮリストを前記ユーザ端末に設定するステップＢと、を有する。
【００１１】
第１実施形態乃至第３実施形態では、前記通信制御方法は、アイドル状態にある前記ユーザ端末が、前記ＲＡＴ情報に基づいて設定された前記ＰＬＭＮリストに含まれるＰＬＭＮにおいて、前記ＭＤＴ測定を行うステップＣをさらに有する。
【００１２】
第１実施形態乃至第３実施形態では、前記ステップＡにおいて、前記ユーザ端末は、前記ＲＡＴ情報の通知要求を前記ネットワーク装置から受信したことに応じて、前記ＲＡＴ情報を前記ネットワーク装置に通知する。
【００１３】
第１実施形態乃至第３実施形態では、前記ステップＢにおいて、前記ネットワーク装置は、前記ＲＡＴ情報に基づいて、前記ＭＤＴサポートＲＡＴに属するＰＬＭＮのみを前記ＰＬＭＮリストに含める。
【００１４】
第１実施形態乃至第３実施形態では、前記ステップＣにおいて、前記ユーザ端末は、前記ＭＤＴサポートＲＡＴに属する第１のＰＬＭＮと前記ＭＤＴサポートＲＡＴに属しない第２のＰＬＭＮとを前記ＰＬＭＮリストが含む場合に、前記第２のＰＬＭＮにおいて前記ＭＤＴ測定を行わずに、前記第１のＰＬＭＮにおいて前記ＭＤＴ測定を行う。
【００１５】
第１実施形態では、前記通信制御方法は、前記ＭＤＴ測定により測定結果を保持している前記ユーザ端末が、前記測定結果を保持していることを示す通知情報を基地局に送信するステップＤをさらに含む。前記ステップＤにおいて、前記ユーザ端末は、前記測定結果に対応するＲＡＴを示す識別情報を、前記通知情報と共に送信する。
【００１６】
第２実施形態では、前記通信制御方法は、前記ＭＤＴ測定により測定結果を保持している前記ユーザ端末が、前記測定結果に対応するＲＡＴ以外のＲＡＴについての測定結果送信要求を基地局から受信した場合に、前記測定結果を保持していないことを示す情報を前記基地局に送信するステップＥをさらに有する。
【００１７】
第３実施形態では、前記通信制御方法は、前記ＭＤＴ測定により測定結果を保持している前記ユーザ端末が、測定結果送信要求を基地局から受信した場合に、前記測定結果を前記基地局に送信するステップＦと、前記基地局が、前記測定結果が複数のＲＡＴに対応する測定結果を含む場合に、前記複数のＲＡＴのそれぞれについて測定結果の消去を許可するか否かを示す消去制御情報を前記ユーザ端末に送信するステップＧと、をさらに有する。
【００１８】
第１実施形態乃至第３実施形態に係るユーザ端末は、ＭＤＴ測定の許容されるＰＬＭＮを示すＰＬＭＮリストがネットワーク装置から設定された場合に、前記ＰＬＭＮリストに含まれるＰＬＭＮにおいて前記ＭＤＴ測定を行う。前記ユーザ端末は、接続状態時に、前記ユーザ端末がＭＤＴ測定をサポートするＲＡＴであるＭＤＴサポートＲＡＴに関するＲＡＴ情報を前記ネットワーク装置に通知する制御部を有する。前記制御部は、前記ＰＬＭＮリストが前記ネットワーク装置から設定される前において、前記ＲＡＴ情報を前記ネットワーク装置に通知する。
【００１９】
第１実施形態乃至第３実施形態に係るネットワーク装置は、ＭＤＴ測定の許容されるＰＬＭＮを示すＰＬＭＮリストをユーザ端末に設定する。前記ネットワーク装置は、前記ユーザ端末がＭＤＴ測定をサポートするＲＡＴであるＭＤＴサポートＲＡＴに関するＲＡＴ情報に基づいて、前記ＰＬＭＮリストを前記ユーザ端末に設定する制御部を有する。
【００２０】
第３実施形態に係る基地局は、ＭＤＴ測定により測定結果を保持しているユーザ端末から、前記測定結果を受信する。前記基地局は、前記測定結果が複数のＲＡＴに対応する測定結果を含む場合に、前記複数のＲＡＴのそれぞれについて測定結果の消去を許可するか否かを示す消去制御情報を前記ユーザ端末に送信する制御部を有する。
【００２１】
［第１実施形態］
（ＬＴＥシステムの構成）
図１は、第１実施形態に係るＬＴＥシステムの構成図である。図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０は無線アクセスネットワークに相当し、ＥＰＣ２０はコアネットワークに相当する。Ｅ−ＵＴＲＡＮ１０及びＥＰＣ２０は、ＬＴＥシステムのネットワークを構成する。
【００２２】
ＵＥ１００は、移動型の通信装置であり、接続先のセル（サービングセル）との無線通信を行う。ＵＥ１００はユーザ端末に相当する。
【００２３】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、１又は複数のセルを管理しており、自セルとの接続を確立したＵＥ１００との無線通信を行う。なお、「セル」は、無線通信エリアの最小単位を示す用語として使用される他に、ＵＥ１００との無線通信を行う機能を示す用語としても使用される。
【００２４】
ｅＮＢ２００は、例えば、無線リソース管理（ＲＲＭ）機能と、ユーザデータのルーティング機能と、モビリティ制御及びスケジューリングのための測定制御機能と、を有する。
【００２５】
ＥＰＣ２０は、複数のＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行うネットワーク装置であり、制御局に相当する。Ｓ−ＧＷは、ユーザデータの転送制御を行うネットワーク装置であり、交換局に相当する。ＭＭＥ／Ｓ−ＧＷ３００により構成されるＥＰＣ２０は、ｅＮＢ２００を収容する。
【００２６】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００２７】
次に、ＵＥ１００及びｅＮＢ２００の構成を説明する。
【００２８】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００２９】
アンテナ１０１及び無線送受信機１１０は、無線信号の送受信に用いられる。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００３０】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３１】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３２】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。
【００３３】
アンテナ２０１及び無線送受信機２１０は、無線信号の送受信に用いられる。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００３４】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３５】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００３６】
図４は、ＬＴＥシステムにおける無線インターフェイスのプロトコルスタック図である。図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００３７】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００３８】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式（ＭＣＳ））、及び割当リソースブロックを決定するスケジューラを含む。
【００３９】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００４０】
ＰＤＣＰレイヤは、ヘッダ圧縮・伸張、及び暗号化・復号化を行う。
【００４１】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態（ＲＲＣ  ｃｏｎｎｅｃｔｅｄ  ｓｔａｔｅ）であり、そうでない場合、ＵＥ１００はアイドル状態（ＲＲＣ  ｉｄｌｅ  ｓｔａｔｅ）である。
【００４２】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００４３】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４４】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。リソースブロックは、周波数方向に複数個のサブキャリアを含む。ＵＥ１００に割り当てられる無線リソースのうち、周波数リソースはリソースブロックにより特定でき、時間リソースはサブフレーム（又はスロット）により特定できる。
【００４５】
（ＭＤＴ）
第１実施形態に係るＵＥ１００は、ＭＤＴの一種であるＬｏｇｇｅｄ  ＭＤＴをサポートする。Ｌｏｇｇｅｄ  ＭＤＴは、ＭＤＴ測定設定（Ｍｅｓｕｒｅｍｅｎｔ  ｃｏｎｆｉｇｕｒａｔｉｏｎ）、ＭＤＴ測定（Ｍｅａｓｕｒｅｍｅｎｔ  ｃｏｌｌｅｃｔｉｏｎ）、及び測定結果報告（Ｍｅａｓｕｒｅｍｅｎｔ  ｒｅｐｏｒｔｉｎｇ）の各処理を含む。
【００４６】
第１に、ＭＤＴ測定設定では、接続状態にあるＵＥ１００が、ネットワークからＭＤＴ設定メッセージ（Ｌｏｇｇｅｄ  Ｍｅａｓｕｒｅｍｅｎｔ  Ｃｏｎｆｉｇｕｒａｔｉｏｎメッセージ）を受信し、ＭＤＴ設定メッセージに含まれる各種の設定を記憶する。各種の設定は、ロギングイベント、ロギング期間、ネットワーク絶対時間、ＰＬＭＮリスト（ＭＤＴ  ＰＬＭＮリスト）などを含む。ここでロギングとは、無線環境を測定して測定結果を記憶する一連の動作を意味する。
【００４７】
また、ロギングイベントとは、ロギングを行うべきイベントである。現状、周期的なロギングが規定されており、ロギング周期が指定される。ロギング期間とは、ロギングを行うべき期間である。ＭＤＴ測定設定が行われてからＭＤＴ測定を終了するまでの期間が指定される。ネットワーク絶対時間は、無線環境の測定結果（以下、単に「測定結果」という）に付加するタイムスタンプの基準となる時間である。ＰＬＭＮリスト（ＭＤＴ  ＰＬＭＮ  Ｌｉｓｔ）は、ＭＤＴ測定と測定結果報告とが許容されるＰＬＭＮを示すリストである。例えば、ＰＬＭＮリストは、ＭＤＴ測定と測定結果報告とが許容される各ＰＬＭＮの識別子からなる。
【００４８】
第２に、ＭＤＴ測定では、アイドル状態にあるＵＥ１００が、ＭＤＴ測定設定（Ｃｏｎｆｉｇｕｒａｔｉｏｎ）に従ってロギングを行う。具体的には、ＵＥ１００は、ＰＬＭＮリストに含まれるＰＬＭＮにおいて、ロギングイベントに対応するイベントが発生した際に、サービングセル（及び隣接セル）について無線環境を測定する。無線環境とは、例えば参照信号受信電力（ＲＳＲＰ）及び参照信号受信品質（ＲＳＲＱ）である。
【００４９】
ＵＥ１００は、測定結果を位置情報及びタイムスタンプと共に記憶する。測定結果、位置情報、及びタイムスタンプの組み合わせは「測定ログ」と称される。ＵＥ１００は、ロギング期間が満了すると、ＭＤＴ測定を終了し、測定結果（測定ログ）を保持すべき期間（仕様上、４８時間）を規定するタイマを起動する。
【００５０】
第３に、測定結果報告では、ＵＥ１００がアイドル状態から接続状態に遷移する際又はハンドオーバの際などにおいて、測定結果を保持していることを示す通知情報（仕様上、「Ａｖａｉｌａｂｉｌｉｔｙインジケータ」と称される）をＵＥ１００からネットワークに送信する。
【００５１】
ネットワークは、Ａｖａｉｌａｂｉｌｉｔｙインジケータに基づいて、測定結果の送信（報告）をＵＥ１００に要求する。ＵＥ１００は、ネットワークからの要求に応じて、測定結果（測定ログ）をネットワークに送信する。ネットワークは、ＵＥ１００からの測定結果（測定ログ）に基づいて、カバレッジ問題を解消するなどのネットワーク最適化を行う。
【００５２】
（第１実施形態に係る動作）
図６は、第１実施形態に係る動作環境を示す図である。図６に示すように、オペレータの異なる複数のＰＬＭＮ（ＰＬＭＮ＃１乃至＃３）が設けられている。
【００５３】
ＰＬＭＮ＃１及び＃３のそれぞれはＲＡＴ  Ａに属するネットワークであり、ＰＬＭＮ＃２はＲＡＴ  Ｂに属するネットワークである。例えば、ＲＡＴ  ＡはＬＴＥであり、ＲＡＴ  ＢはＷ−ＣＤＭＡ（ＵＭＴＳ；Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）である。
【００５４】
尚、ＵＭＴＳでは基地局はＮＢ（Ｎｏｄｅ−Ｂ）と称されるため、以下においてｅＮＢ及びＮＢを特に区別しないときは、単に「基地局」という。各ＰＬＭＮは、１又は複数のセルを含む。各セルは、基地局２００により管理される。各セルは、自セルの識別子と自セルを含むＰＬＭＮの識別子とをブロードキャストする。
【００５５】
上述したように、Ｌｏｇｇｅｄ  ＭＤＴでは、ＰＬＭＮリストが設定されたＵＥ１００は、ＰＬＭＮリストに含まれるＰＬＭＮにおいてＭＤＴ測定を行う。しかしながら、ＵＥ１００は、自身がＭＤＴ測定をサポートするＲＡＴ（以下、「ＭＤＴサポートＲＡＴ」という）に属しないＰＬＭＮにおいては、ＭＤＴ測定を行うことができない。
【００５６】
（１）ＭＤＴ測定設定及びＭＤＴ測定
図７は、第１実施形態に係るＭＤＴ測定設定の動作シーケンス図である。
【００５７】
図７に示すように、ステップＳ１０１において、接続状態にあるＵＥ１００は、自身のＭＤＴサポートＲＡＴに関するＲＡＴ情報を基地局２００−１に送信する。基地局２００−１は、ＲＡＴ情報を受信する。第１実施形態では、ＲＡＴ情報は、ＵＥ１００の能力を示す能力情報（ＵＥ  ｃａｐａｂｉｌｉｔｙ）に含まれる。
【００５８】
このように、ＵＥ１００は、ＰＬＭＮリストが設定される前（すなわち、ＭＤＴ測定設定が行われる前）において、ＲＡＴ情報を基地局２００−１に通知する。ＵＥ１００は、ＲＡＴ情報の通知要求を基地局２００−１から受信したことに応じて、ＲＡＴ情報を基地局２００−１に通知してもよい。
【００５９】
基地局２００−１又はその上位装置は、ＵＥ１００からのＲＡＴ情報に基づいて、ＵＥ１００に設定するＰＬＭＮリストを作成する。ここで基地局の上位装置とは、例えばＭＭＥ、又はＯＡＭ（Ｏｐｅｒａｔｉｏｎ  Ａｎｄ  Ｍａｉｎｔｅｎａｎｃｅ）である。基地局２００−１又はその上位装置は、ネットワーク装置に相当する。
【００６０】
基地局２００−１又はその上位装置は、ＵＥ１００からのＲＡＴ情報に基づいて、ＵＥ１００のＭＤＴサポートＲＡＴに属するＰＬＭＮのみをＰＬＭＮリストに含めることが好ましい。例えば、基地局２００−１又はその上位装置は、ＵＥ１００のＭＤＴサポートＲＡＴがＲＡＴ  Ａである場合に、ＰＬＭＮ＃２をＰＬＭＮリストに含めずに、ＰＬＭＮ＃１及び＃３をＰＬＭＮリストに含める。
【００６１】
ステップＳ１０２において、基地局２００−１は、ＰＬＭＮリストを含んだＭＤＴ設定メッセージをＵＥ１００に送信する。ＵＥ１００は、ＭＤＴ設定メッセージに含まれるＰＬＭＮリストを記憶する。その後、アイドル状態にあるＵＥ１００は、設定されたＰＬＭＮリストに含まれるＰＬＭＮにおいて、ＭＤＴ測定を行う。
【００６２】
このように、基地局２００−１又はその上位装置がＲＡＴ情報に基づいてＰＬＭＮリストを作成することにより、ＭＤＴサポートＲＡＴに属しないＰＬＭＮをＰＬＭＮリストが含む事態を回避できる。
【００６３】
但し、基地局２００−１又はその上位装置は、必ずしも、ＵＥ１００のＭＤＴサポートＲＡＴに属するＰＬＭＮのみをＰＬＭＮリストに含めることができるとは限らない。ＵＥ１００のＭＤＴサポートＲＡＴに属しないＰＬＭＮがＰＬＭＮリストに含まれる場合、ＵＥ１００は、ＭＤＴ測定に関して以下の第１の動作又は第２の動作を行う。
【００６４】
第１の動作として、ＵＥ１００は、ＭＤＴサポートＲＡＴに属する第１のＰＬＭＮとＭＤＴサポートＲＡＴに属しない第２のＰＬＭＮとをＰＬＭＮリストが含む場合に、第２のＰＬＭＮにおいてＭＤＴ測定を行わずに、第１のＰＬＭＮにおいてＭＤＴ測定を行う。例えば、ＵＥ１００は、自身のＭＤＴサポートＲＡＴがＲＡＴ  Ａである場合で、かつ、ＰＬＭＮリストがＰＬＭＮ＃１乃至＃３を含む場合に、ＰＬＭＮ＃２においてＭＤＴ測定を行わずに、ＰＬＭＮ＃１及び＃３においてＭＤＴ測定を行う。
【００６５】
第２の動作として、ＵＥ１００は、設定されたＰＬＭＮリストがエラーであると認識して、ＭＤＴ測定を行わない。この場合、ＵＥ１００は、不適切なＰＬＭＮリストが設定された旨をネットワークに通知してもよい。
【００６６】
（２）測定結果報告
第１実施形態では、ＵＥ１００は、測定結果（測定ログ）を保持していることを示すＡｖａｉｌａｂｉｌｉｔｙインジケータと共に、当該測定結果に対応するＲＡＴを示す識別情報（以下、「ＲＡＴ識別子」という）を送信する。ネットワークは、ＲＡＴ識別子に基づいて、自身が取得可能なＲＡＴに対応する測定結果のみを取得する。
【００６７】
図８は、第１実施形態に係る測定結果報告の動作パターン１を示すシーケンス図である。動作パターン１では、ＵＥ１００は、ＲＡＴ  Ａの測定結果のみを保持している。基地局２００−１は、ＲＡＴ  Ａに属する基地局であるため、ＵＥ１００が保持する測定結果を取得可能である。
【００６８】
図８に示すように、ステップＳ２０１において、ＵＥ１００は、Ａｖａｉｌａｂｉｌｉｔｙインジケータと共に、測定結果に対応するＲＡＴ  Ａを示すＲＡＴ識別子を基地局２００−１に送信する。
【００６９】
ステップＳ２０２において、基地局２００−１は、ＲＡＴ  Ａを示すＲＡＴ識別子に基づいて、ＵＥ１００が保持する測定結果の送信要求をＵＥ１００に送信する。ここで、基地局２００−１は、ＲＡＴ  Ａを指定して送信要求を行う。
【００７０】
ステップＳ２０３において、ＵＥ１００は、基地局２００−１からの送信要求に応じて、ＲＡＴ  Ａの測定結果を基地局２００−１に送信する。
【００７１】
尚、ＵＥ１００は、ネットワークに送信した測定結果については、保持せずに消去可能である。
【００７２】
図９は、第１実施形態に係る測定結果報告の動作パターン２を示すシーケンス図である。動作パターン２では、ＵＥ１００は、ＲＡＴ  Ａの測定結果のみを保持している。基地局２００−２は、ＲＡＴ  Ｂに属する基地局であるため、ＵＥ１００が保持する測定結果を取得不能である。
【００７３】
図９に示すように、ステップＳ２１１において、ＵＥ１００は、Ａｖａｉｌａｂｉｌｉｔｙインジケータと共に、測定結果に対応するＲＡＴ  Ａを示すＲＡＴ識別子を基地局２００−１に送信する。
【００７４】
ステップＳ２１２において、基地局２００−１は、ＲＡＴ  Ａを示すＲＡＴ識別子に基づいて、測定結果の送信要求を行わない。
【００７５】
ステップＳ２１３において、ＵＥ１００は、基地局２００−１から送信要求がなかったため、ＲＡＴ  Ａの測定結果を送信せずに保持する。
【００７６】
図１０は、第１実施形態に係る測定結果報告の動作パターン３を示すシーケンス図である。動作パターン３では、ＵＥ１００は、ＲＡＴ  Ａ及びＲＡＴ  Ｂのそれぞれの測定結果を保持している。また、基地局２００−１は、ＲＡＴ  Ａに属する基地局であるものの、ＲＡＴ  Ｂの測定結果を取得可能である。
【００７７】
図１０に示すように、ステップＳ２２１において、ＵＥ１００は、Ａｖａｉｌａｂｉｌｉｔｙインジケータと共に、ＲＡＴ  Ａを示すＲＡＴ識別子及びＲＡＴ  Ｂを示すＲＡＴ識別子を基地局２００−１に送信する。
【００７８】
ステップＳ２２２において、基地局２００−１は、ＲＡＴ  Ａを示すＲＡＴ識別子及びＲＡＴ  Ｂを示すＲＡＴ識別子に基づいて、ＲＡＴ  Ａ及びＲＡＴ  Ｂのそれぞれの測定結果の送信要求をＵＥ１００に送信する。ここで、基地局２００−１は、ＲＡＴ  Ａ及びＲＡＴ  Ｂを指定して送信要求を行う。
【００７９】
ステップＳ２２３において、ＵＥ１００は、基地局２００−１からの送信要求に応じて、ＲＡＴ  Ａ及びＲＡＴ  Ｂのそれぞれの測定結果を基地局２００−１に送信する。
【００８０】
図１１は、第１実施形態に係る測定結果報告の動作パターン４を示すシーケンス図である。動作パターン４では、ＵＥ１００は、ＲＡＴ  Ａ及びＲＡＴ  Ｂのそれぞれの測定結果を保持している。
【００８１】
図１１に示すように、ステップＳ２３１において、ＵＥ１００は、Ａｖａｉｌａｂｉｌｉｔｙインジケータと共に、ＲＡＴ  Ａを示すＲＡＴ識別子及びＲＡＴ  Ｂを示すＲＡＴ識別子を基地局２００−２に送信する。
【００８２】
ステップＳ２３２において、基地局２００−２は、ＲＡＴ  Ａを示すＲＡＴ識別子及びＲＡＴ  Ｂを示すＲＡＴ識別子に基づいて、自身が取得可能なＲＡＴ  Ｂの測定結果の送信要求をＵＥ１００に送信する。ここで、基地局２００−２は、ＲＡＴ  Ｂを指定して送信要求を行う。
【００８３】
ステップＳ２３３において、ＵＥ１００は、基地局２００−２からの送信要求に応じて、ＲＡＴ  Ｂの測定結果を基地局２００−２に送信する。
【００８４】
ステップＳ２３４において、ＵＥ１００は、ＲＡＴ  Ａの測定結果については基地局２００−２から送信要求がなかったため、ＲＡＴ  Ａの測定結果を送信せずに保持する。
【００８５】
［第２実施形態］
次に、第２実施形態について、第１実施形態との相違点を主として説明する。
【００８６】
第２実施形態は、測定結果報告の動作が第１実施形態とは異なる。第２実施形態では、ＵＥ１００は、測定結果に対応するＲＡＴを示すＲＡＴ識別子をＡｖａｉｌａｂｉｌｉｔｙインジケータと共に送信しない。
【００８７】
但し、ネットワークは、自身が取得可能な全てのＲＡＴについて、測定結果の送信をＵＥ１００に要求する。ＵＥ１００は、測定結果に対応するＲＡＴ以外のＲＡＴについての測定結果送信要求をネットワークから受信した場合に、測定結果を保持していないことを示す情報をネットワークに送信する。
【００８８】
図１２は、第２実施形態に係る測定結果報告の動作パターン１を示すシーケンス図である。動作パターン１では、ＵＥ１００は、ＲＡＴ  Ａの測定結果のみを保持している。基地局２００−１は、ＲＡＴ  Ａに属する基地局であるものの、ＲＡＴ  Ａ及びＲＡＴ  Ｂのそれぞれの測定結果を取得可能である。
【００８９】
図１２に示すように、ステップＳ３０１において、ＵＥ１００は、Ａｖａｉｌａｂｉｌｉｔｙインジケータを基地局２００−１に送信する。
【００９０】
ステップＳ３０２において、基地局２００−１は、Ａｖａｉｌａｂｉｌｉｔｙインジケータに基づいて、ＲＡＴ  Ａ及びＲＡＴ  Ｂのそれぞれの測定結果の送信要求をＵＥ１００に送信する。ここで、基地局２００−１は、ＲＡＴ  Ａ及びＲＡＴ  Ｂを指定して送信要求を行う。
【００９１】
ステップＳ３０３において、ＵＥ１００は、基地局２００−１からの送信要求に応じて、ＲＡＴ  Ａの測定結果を基地局２００−１に送信する。
【００９２】
図１３は、第２実施形態に係る測定結果報告の動作パターン２を示すシーケンス図である。動作パターン２では、ＵＥ１００は、ＲＡＴ  Ａの測定結果のみを保持している。
【００９３】
図１３に示すように、ステップＳ３１１において、ＵＥ１００は、Ａｖａｉｌａｂｉｌｉｔｙインジケータを基地局２００−２に送信する。
【００９４】
ステップＳ３１２において、基地局２００−２は、Ａｖａｉｌａｂｉｌｉｔｙインジケータに基づいて、ＲＡＴ  Ｂの測定結果の送信要求をＵＥ１００に送信する。ここで、基地局２００−２は、ＲＡＴ  Ｂを指定して送信要求を行う。
【００９５】
ステップＳ３１３において、ＵＥ１００は、ＲＡＴ  Ｂの測定結果を保持していないため、測定結果を保持していないことを示す情報（Ｎｕｌｌ情報）を基地局２００−２に送信する。
【００９６】
ステップＳ３１４において、ＵＥ１００は、ＲＡＴ  Ａの測定結果については基地局２００−２から送信要求がなかったため、ＲＡＴ  Ａの測定結果を送信せずに保持する。
【００９７】
図１４は、第２実施形態に係る測定結果報告の動作パターン３を示すシーケンス図である。動作パターン３では、ＵＥ１００は、ＲＡＴ  Ａ及びＲＡＴ  Ｂのそれぞれの測定結果を保持している。基地局２００−１は、ＲＡＴ  Ａに属する基地局であるものの、ＲＡＴ  Ａ及びＲＡＴ  Ｂのそれぞれの測定結果を取得可能である。
【００９８】
図１４に示すように、ステップＳ３２１において、ＵＥ１００は、Ａｖａｉｌａｂｉｌｉｔｙインジケータを基地局２００−１に送信する。
【００９９】
ステップＳ３２２において、基地局２００−１は、Ａｖａｉｌａｂｉｌｉｔｙインジケータに基づいて、ＲＡＴ  Ａ及びＲＡＴ  Ｂのそれぞれの測定結果の送信要求をＵＥ１００に送信する。ここで、基地局２００−１は、ＲＡＴ  Ａ及びＲＡＴ  Ｂを指定して送信要求を行う。
【０１００】
ステップＳ３２３において、ＵＥ１００は、基地局２００−１からの送信要求に応じて、ＲＡＴ  Ａ及びＲＡＴ  Ｂのそれぞれの測定結果を基地局２００−１に送信する。
【０１０１】
図１５は、第２実施形態に係る測定結果報告の動作パターン４を示すシーケンス図である。動作パターン４では、ＵＥ１００は、ＲＡＴ  Ａ及びＲＡＴ  Ｂのそれぞれの測定結果を保持している。
【０１０２】
図１５に示すように、ステップＳ３３１において、ＵＥ１００は、Ａｖａｉｌａｂｉｌｉｔｙインジケータを基地局２００−２に送信する。
【０１０３】
ステップＳ３３２において、基地局２００−２は、Ａｖａｉｌａｂｉｌｉｔｙインジケータに基づいて、ＲＡＴ  Ｂの測定結果の送信要求をＵＥ１００に送信する。ここで、基地局２００−２は、ＲＡＴ  Ｂを指定して送信要求を行う。
【０１０４】
ステップＳ３３３において、ＵＥ１００は、基地局２００−２からの送信要求に応じて、ＲＡＴ  Ｂの測定結果を基地局２００−２に送信する。
【０１０５】
ステップＳ３３４において、ＵＥ１００は、ＲＡＴ  Ａの測定結果については基地局２００−２から送信要求がなかったため、ＲＡＴ  Ａの測定結果を送信せずに保持する。
【０１０６】
［第３実施形態］
次に、第３実施形態について、第１実施形態との相違点を主として説明する。
【０１０７】
第３実施形態は、測定結果報告の動作が第１実施形態とは異なる。第３実施形態では、ＵＥ１００は、測定結果に対応するＲＡＴを示す識別情報をＡｖａｉｌａｂｉｌｉｔｙインジケータと共に送信しない。
【０１０８】
但し、ネットワークは、ＵＥ１００からの測定結果が複数のＲＡＴの測定結果を含む場合に、複数のＲＡＴのそれぞれについて測定結果の消去を許可するか否かを示す消去制御情報をＵＥ１００に送信する。つまり、測定結果を消去するか否かをネットワークが決定する。
【０１０９】
図１６は、第３実施形態に係る測定結果報告の動作パターン１を示すシーケンス図である。動作パターン１では、ＵＥ１００は、ＲＡＴ  Ａの測定結果のみを保持している。
【０１１０】
図１６に示すように、ステップＳ４０１において、ＵＥ１００は、Ａｖａｉｌａｂｉｌｉｔｙインジケータを基地局２００−１に送信する。
【０１１１】
ステップＳ４０２において、基地局２００−１は、Ａｖａｉｌａｂｉｌｉｔｙインジケータに基づいて、測定結果の送信要求をＵＥ１００に送信する。
【０１１２】
ステップＳ４０３において、ＵＥ１００は、基地局２００−１からの送信要求に応じて、ＲＡＴ  Ａの測定結果を基地局２００−１に送信する。
【０１１３】
ステップＳ４０４において、基地局２００−１は、測定結果の消去を許可する消去制御情報をＵＥ１００に送信する。ＵＥ１００は、測定結果の消去が許可されたことに応じて、測定結果を消去する。
【０１１４】
図１７は、第３実施形態に係る測定結果報告の動作パターン２を示すシーケンス図である。動作パターン２では、ＵＥ１００は、ＲＡＴ  Ａの測定結果のみを保持している。
【０１１５】
図１７に示すように、ステップＳ４１１において、ＵＥ１００は、Ａｖａｉｌａｂｉｌｉｔｙインジケータを基地局２００−２に送信する。
【０１１６】
ステップＳ４１２において、基地局２００−２は、Ａｖａｉｌａｂｉｌｉｔｙインジケータに基づいて、測定結果の送信要求をＵＥ１００に送信する。
【０１１７】
ステップＳ４１３において、ＵＥ１００は、基地局２００−２からの送信要求に応じて、ＲＡＴ  Ａの測定結果を基地局２００−２に送信する。
【０１１８】
ステップＳ４１４において、基地局２００−２は、測定結果の消去を許可しない消去制御情報をＵＥ１００に送信する。
【０１１９】
ステップＳ４１５において、ＵＥ１００は、測定結果の消去が許可されなかったため、ＲＡＴ  Ａの測定結果を消去せずに保持する。
【０１２０】
図１８は、第３実施形態に係る測定結果報告の動作パターン３を示すシーケンス図である。動作パターン３では、ＵＥ１００は、ＲＡＴ  Ａ及びＲＡＴ  Ｂのそれぞれの測定結果を保持している。基地局２００−１は、ＲＡＴ  Ａに属する基地局であるものの、ＲＡＴ  Ａ及びＲＡＴ  Ｂのそれぞれの測定結果を取得可能である。
【０１２１】
図１８に示すように、ステップＳ４２１において、ＵＥ１００は、Ａｖａｉｌａｂｉｌｉｔｙインジケータを基地局２００−１に送信する。
【０１２２】
ステップＳ４２２において、基地局２００−１は、Ａｖａｉｌａｂｉｌｉｔｙインジケータに基づいて、測定結果の送信要求をＵＥ１００に送信する。
【０１２３】
ステップＳ４２３において、ＵＥ１００は、基地局２００−１からの送信要求に応じて、ＲＡＴ  Ａ及びＲＡＴ  Ｂのそれぞれの測定結果を基地局２００−１に送信する。
【０１２４】
ステップＳ４２４において、基地局２００−１は、測定結果の消去を許可する消去制御情報をＵＥ１００に送信する。ＵＥ１００は、測定結果の消去が許可されたことに応じて、ＲＡＴ  Ａ及びＲＡＴ  Ｂのそれぞれの測定結果を消去する。
【０１２５】
図１９は、第３実施形態に係る測定結果報告の動作パターン４を示すシーケンス図である。動作パターン４では、ＵＥ１００は、ＲＡＴ  Ａ及びＲＡＴ  Ｂのそれぞれの測定結果を保持している。
【０１２６】
図１９に示すように、ステップＳ４３１において、ＵＥ１００は、Ａｖａｉｌａｂｉｌｉｔｙインジケータを基地局２００−２に送信する。
【０１２７】
ステップＳ４３２において、基地局２００−２は、Ａｖａｉｌａｂｉｌｉｔｙインジケータに基づいて、測定結果の送信要求をＵＥ１００に送信する。
【０１２８】
ステップＳ４３３において、ＵＥ１００は、基地局２００−２からの送信要求に応じて、ＲＡＴ  Ａ及びＲＡＴ  Ｂのそれぞれの測定結果を基地局２００−２に送信する。
【０１２９】
ステップＳ４３４において、基地局２００−２は、ＲＡＴ  Ａについては測定結果の消去を許可せずに、ＲＡＴ  Ｂについては測定結果の消去を許可する消去制御情報をＵＥ１００に送信する。
【０１３０】
ステップＳ４３５において、ＵＥ１００は、消去制御情報に従い、ＲＡＴ  Ａの測定結果を消去せずに保持し、ＲＡＴ  Ｂの測定結果を消去する。
【０１３１】
［その他の実施形態］
上述した各実施形態では、ＲＡＴの具体例としてＬＴＥ及びＵＭＴＳを説明したが、これらに限定されるものではなく、他のＲＡＴであってもよい。
【０１３２】
上述した各実施形態に係る測定結果報告の動作は、Ｌｏｇｇｅｄ  ＭＤＴだけでなく、Ｉｍｍｅｄｉａｔｅ  ＭＤＴに適用してもよい。Ｉｍｍｅｄｉａｔｅ  ＭＤＴは、接続状態にあるＵＥ１００が、無線環境の測定（ＭＤＴ測定）を行い、測定結果を位置情報と共に即座にネットワークに報告するものである。
【０１３３】
このように、本発明は、ここでは記載していない様々な実施の形態などを含むことは勿論である。また、上述した実施形態及び変更例は、組み合わせることが可能である。したがって、本発明の技術的範囲は、上述の説明から妥当な請求の範囲に係る発明特定事項によってのみ定められる。
【０１３４】
なお、米国仮特許出願第６１／８０５，０２８号（２０１３年３月２５日出願）の全内容が、参照により、本願に組み込まれている。
【産業上の利用可能性】
【０１３５】
本発明によれば、複数のＰＬＭＮに対するＭＤＴ測定を適切に制御できる通信制御方法、ユーザ端末、ネットワーク装置、及び基地局を提供することができる。
【図１】
2014157074.tif 000003
【図２】
2014157074.tif 000004
【図３】
2014157074.tif 000005
【図４】
2014157074.tif 000006
【図５】
2014157074.tif 000007
【図６】
2014157074.tif 000008
【図７】
2014157074.tif 000009
【図８】
2014157074.tif 000010
【図９】
2014157074.tif 000011
【図１０】
2014157074.tif 000012
【図１１】
2014157074.tif 000013
【図１２】
2014157074.tif 000014
【図１３】
2014157074.tif 000015
【図１４】
2014157074.tif 000016
【図１５】
2014157074.tif 000017
【図１６】
2014157074.tif 000018
【図１７】
2014157074.tif 000019
【図１８】
2014157074.tif 000020
【図１９】
2014157074.tif 000021
【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
ユーザ端末が、接続状態時に、自身がＭＤＴ測定をサポートする無線アクセス技術（ＲＡＴ）に関するＲＡＴ情報をネットワーク装置に通知するステップＡと、
前記ネットワーク装置が、前記ＲＡＴ情報に基づいて、前記ＭＤＴ測定の許容される公衆陸上移動網（ＰＬＭＮ）を示すＰＬＭＮリストを前記ユーザ端末に設定するステップＢと、
を有することを特徴とする通信制御方法。
【請求項２】
前記ユーザ端末が、アイドル状態時に、前記ＰＬＭＮリストに含まれるＰＬＭＮにおいて、前記ＭＤＴ測定を行うステップＣをさらに有することを特徴とする請求項１に記載の通信制御方法。
【請求項３】
前記ユーザ端末は、前記ＲＡＴ情報の通知要求を前記ネットワーク装置から受信したことに応じて、前記ＲＡＴ情報を前記ネットワーク装置に通知することを特徴とする請求項１に記載の通信制御方法。
【請求項４】
前記ＰＬＭＮリストは、前記ＲＡＴに属するＰＬＭＮのみを含むことを特徴とする請求項１に記載の通信制御方法。
【請求項５】
前記ユーザ端末は、前記ＲＡＴに属する第１のＰＬＭＮと前記ＲＡＴに属しない第２のＰＬＭＮとを前記ＰＬＭＮリストが含む場合に、前記第２のＰＬＭＮにおいて前記ＭＤＴ測定の実行を禁止し、前記第１のＰＬＭＮにおいて前記ＭＤＴ測定を行うことを特徴とする請求項２に記載の通信制御方法。
【請求項６】
前記ＭＤＴ測定により測定結果を保持している前記ユーザ端末が、前記測定結果を保持していることを示す通知情報と前記測定結果に対応するＲＡＴを示す識別情報とを基地局に送信するステップＤをさらに有することを特徴とする請求項２に記載の通信制御方法。
【請求項７】
前記ＭＤＴ測定により第１の測定結果を保持している前記ユーザ端末が、前記第１の測定結果に対応するＲＡＴ以外のＲＡＴについての第２の測定結果の送信要求を基地局から受信した場合に、前記第２の測定結果を保持していないことを示す情報を前記基地局に送信するステップＥをさらに有することを特徴とする請求項２に記載の通信制御方法。
【請求項８】
前記ＭＤＴ測定により第１の測定結果を保持している前記ユーザ端末が、測定結果の送信要求を基地局から受信した場合に、前記第１の測定結果を前記基地局に送信するステップＦと、
前記基地局が、前記第１の測定結果が複数のＲＡＴに対応する測定結果を含む場合に、前記複数のＲＡＴのそれぞれについて測定結果の消去を許可するか否かを示す制御情報を前記ユーザ端末に送信するステップＧと、
をさらに有することを特徴とする請求項２に記載の通信制御方法。
【請求項９】
ＭＤＴ測定の許容される公衆陸上移動網（ＰＬＭＮ）を示すＰＬＭＮリストがネットワーク装置から設定された場合に、前記ＰＬＭＮリストに含まれるＰＬＭＮにおいて前記ＭＤＴ測定を行うユーザ端末であって、
接続状態時に、前記ユーザ端末がＭＤＴ測定をサポートする無線アクセス技術（ＲＡＴ）に関するＲＡＴ情報を前記ネットワーク装置に通知する制御部を有し、
前記制御部は、前記ＰＬＭＮリストが前記ネットワーク装置から設定される前において、前記ＲＡＴ情報を前記ネットワーク装置に通知することを特徴とするユーザ端末。
【請求項１０】
ＭＤＴ測定の許容される公衆陸上移動網（ＰＬＭＮ）を示すＰＬＭＮリストをユーザ端末に設定するネットワーク装置であって、
前記ユーザ端末がＭＤＴ測定をサポートする無線アクセス技術（ＲＡＴ）に関するＲＡＴ情報に基づいて、前記ＰＬＭＮリストを前記ユーザ端末に設定する制御部を有することを特徴とするネットワーク装置。
【請求項１１】
ＭＤＴ測定により測定結果を保持しているユーザ端末から、前記測定結果を受信する基地局であって、
前記測定結果が複数のＲＡＴに対応する測定結果を含む場合に、前記複数のＲＡＴのそれぞれについて測定結果の消去を許可するか否かを示す制御情報を前記ユーザ端末に送信する制御部を有することを特徴とする基地局。
【手続補正２】
【補正対象書類名】明細書
【補正対象項目名】０００８
【補正方法】変更
【補正の内容】
【０００８】
本発明に係る通信制御方法は、ユーザ端末が、接続状態時に、自身がＭＤＴ測定をサポートする無線アクセス技術（ＲＡＴ）に関するＲＡＴ情報をネットワーク装置に通知するステップＡと、前記ネットワーク装置が、前記ＲＡＴ情報に基づいて、前記ＭＤＴ測定の許容される公衆陸上移動網（ＰＬＭＮ）を示すＰＬＭＮリストを前記ユーザ端末に設定するステップＢと、を有する。
【国際調査報告】
2014157074.tif 000022
2014157074.tif 000023
2014157074.tif 000024
2014157074.tif 000025